(57)【要約】【課題】使用者の作業負担を軽減することが可能な医療用デバイスを提供する。【解決手段】管状のシース部１０と、シース部１０内を移動可能に構成され、血管内の異物を捕捉する異物捕捉用カテーテル２０と、異物捕捉用カテーテル２０内を移動可能に構成され、血管内の異物を除去する異物除去用カテーテル３０とを備える医療用デバイス１。医療用デバイス１は、異物除去用カテーテル３０を異物捕捉用カテーテル２０内に装填し、さらに当該異物捕捉用カテーテル２０をシース部１０内に装填した状態で、血管内に挿入可能に構成されている。【選択図】図１
2019000233.tif 000002
【特許請求の範囲】
【請求項１】
体内内腔に処置を施すための医療用デバイスであって、
管状のシース部と、
前記シース部内を移動可能に構成され、前記体内内腔の異物を捕捉するための捕捉部を有する異物捕捉用カテーテルと、
前記異物捕捉用カテーテル内を移動可能に構成され、前記体内内腔に処置を施すための処置部を有する処置用カテーテルとを備え、
前記処置用カテーテルを前記異物捕捉用カテーテル内に装填し、さらに当該異物捕捉用カテーテルを前記シース部内に装填した状態で、前記体内内腔に挿入可能に構成されている医療用デバイス。
【請求項２】
請求項１に記載の医療用デバイスにおいて、
前記処置用カテーテルは、前記処置用カテーテルの先端部に配設された先端チップを有し、
前記先端チップは、
前記処置用カテーテルを前記異物捕捉用カテーテル内に装填し、さらに当該異物捕捉用カテーテルを前記シース部内に装填した状態で、前記シース部の開口端を封止可能に構成されており、かつ、
前記シース部に対して前記処置用カテーテルを相対的に遠位側に移動させることにより、前記シース部の開口端の封止を解除可能に構成されている医療用デバイス。
【請求項３】
請求項１に記載の医療用デバイスにおいて、
前記シース部の先端は、前記処置用カテーテルを前記異物捕捉用カテーテル内に装填し、さらに当該異物捕捉用カテーテルを前記シース部内に装填した状態で、前記シース部の先端を封止可能に構成されており、かつ、
前記シース部に対して前記異物捕捉用カテーテル又は前記処置用カテーテルを相対的に遠位側に移動させることにより、前記シース部の開口端の封止を解除可能に構成されている医療用デバイス。
【請求項４】
請求項１〜３のいずれか一項に記載の医療用デバイスにおいて、
前記シース部及び前記異物捕捉用カテーテルのうち少なくとも一方には、前記シース部から前記異物捕捉用カテーテルが脱落するのを防止する第１脱落防止機構が設けられている医療用デバイス。
【請求項５】
請求項１〜４のいずれか一項に記載の医療用デバイスにおいて、
前記異物捕捉用カテーテル及び前記処置用カテーテルのうち少なくとも一方には、前記異物捕捉用カテーテルから前記処置用カテーテルが脱落するのを防止する第２脱落防止機構が設けられている医療用デバイス。
【請求項６】
請求項１〜５のいずれか一項に記載の医療用デバイスにおいて、
前記処置用カテーテルは、
前記体内内腔の異物を除去するための異物除去用カテーテルである医療用デバイス。
【請求項７】
請求項１〜５のいずれか一項に記載の医療用デバイスにおいて、
前記処置用カテーテルは、
前記体内内腔の異物を溶解するための異物溶解用カテーテルである医療用デバイス。
【請求項８】
請求項１〜５のいずれか一項に記載の医療用デバイスにおいて、
前記処置用カテーテルは、
血管内壁からの止血に用いる血管内止血用カテーテルである医療用デバイス。
【発明の詳細な説明】
【技術分野】
【０００１】
本発明は、医療用デバイスに関する。
【背景技術】
【０００２】
血管内に発生した血栓又は塞栓などの異物を除去するカテーテルとして、カテーテル本体の先端に拡張部を備える異物除去用カテーテルが知られている（例えば、特許文献１参照。）。従来の異物除去用カテーテルによれば、治療箇所よりも下流側の位置で拡張部を拡張させることにより、治療箇所から剥がれ落ちた異物の飛散を防止することができる。
【先行技術文献】
【特許文献】
【０００３】
【特許文献１】特開２００７−２５２８９５号公報
【発明の概要】
【発明が解決しようとする課題】
【０００４】
ところで、従来の異物除去用カテーテルを経皮的に血管内に挿入する場合、例えば、（Ａ）シースイントロデューサ（シースとダイレータが組み合わされたデバイス）を用いて、拡張部を収縮させた状態での異物除去用カテーテルをシースイントロデューサ内に挿入するか、または、（Ｂ）シースイントロデューサを用いずに、カテーテル本体の内腔にダイレータを直接挿入し、拡張部を収縮させた状態で異物除去用カテーテルを血管内に挿入する方法が考えられる。
【０００５】
しかしながら、上記（Ａ）の方法を用いた場合、血管内にシースイントロデューサを挿入後、シースからダイレータを抜き取らなければならない。また、上記（Ｂ）の方法を用いた場合も、血管内に異物除去用カテーテルを挿入後、カテーテル本体からダイレータを抜き取らなければならない。いずれの方法においても、長尺のガイドワイヤを血管内に挿入した状態でダイレータを抜き取らなければならず、手技の煩雑さが否めない。
【０００６】
そこで、本発明は、このような問題を解決するためになされたもので、使用者の作業負担を軽減することが可能な医療用デバイスを提供することを目的とする。
【課題を解決するための手段】
【０００７】
本発明の医療用デバイスは、体内内腔に処置を施すための医療用デバイスであって、管状のシース部と、前記シース部内を移動可能に構成され、前記体内内腔の異物を捕捉するための捕捉部を有する異物捕捉用カテーテルと、前記異物捕捉用カテーテル内を移動可能に構成され、前記体内内腔に処置を施すための処置部を有する処置用カテーテルとを備え、前記処置用カテーテルを前記異物捕捉用カテーテル内に装填し、さらに当該異物捕捉用カテーテルを前記シース部内に装填した状態で、前記体内内腔に挿入可能に構成されていることを特徴とする。
【０００８】
本発明の医療用デバイスによれば、シース部内に異物捕捉用カテーテルと処置用カテーテルを装填した状態で医療用デバイスを体内内腔に挿入可能に構成されているため、シースイントロデューサ又はダイレータを使用しなくても済む。つまり、ダイレータの抜き取りに要していた手間を省くことができるため、使用者の作業負担を軽減することができる。また、シース部内に異物捕捉用カテーテルと処置用カテーテルを装填した状態で医療用デバイスを体内内腔に挿入することから、挿入時におけるシース部の潰れやキンクの発生を抑制することもできる。
【０００９】
本発明の医療用デバイスにおいては、前記処置用カテーテルは、前記処置用カテーテルの先端部に配設された先端チップを有し、前記先端チップは、前記処置用カテーテルを前記異物捕捉用カテーテル内に装填し、さらに当該異物捕捉用カテーテルを前記シース部内に装填した状態で、前記シース部の開口端を封止可能に構成されており、かつ、前記シース部に対して前記処置用カテーテルを相対的に遠位側に移動させることにより、前記シース部の開口端の封止を解除可能に構成されていることが好ましい。
【００１０】
本発明の医療用デバイスにおいては、前記シース部の先端は、前記処置用カテーテルを前記異物捕捉用カテーテル内に装填し、さらに当該異物捕捉用カテーテルを前記シース部内に装填した状態で、前記シース部の先端を封止可能に構成されており、かつ、前記シース部に対して前記異物捕捉用カテーテル又は前記処置用カテーテルを相対的に遠位側に移動させることにより、前記シース部の開口端の封止を解除可能に構成されていることも好ましい。
【００１１】
本発明の医療用デバイスにおいては、前記シース部及び前記異物捕捉用カテーテルのうち少なくとも一方には、前記シース部から前記異物捕捉用カテーテルが脱落するのを防止する第１脱落防止機構が設けられていることが好ましい。
【００１２】
本発明の医療用デバイスにおいては、前記異物捕捉用カテーテル及び前記処置用カテーテルのうち少なくとも一方には、前記異物捕捉用カテーテルから前記処置用カテーテルが脱落するのを防止する第２脱落防止機構が設けられていることが好ましい。
【００１３】
本発明の医療用デバイスにおいては、前記処置用カテーテルは、前記体内内腔の異物を除去するための異物除去用カテーテルであってもよいし、前記体内内腔の異物を溶解するための異物溶解用カテーテルであってもよいし、血管内壁からの止血に用いる血管内止血用カテーテルであってもよい。
【発明の効果】
【００１４】
本発明の医療用デバイスによれば、シース部内に異物捕捉用カテーテルと処置用カテーテルを装填した状態で医療用デバイスを体内内腔に挿入可能に構成されている結果、使用者の作業負担を軽減することができる。
【図面の簡単な説明】
【００１５】
【図１】図１は、第１実施形態に係る医療用デバイス１の全体構成を説明するために示す図である。
【図２】図２は、第１実施形態に係る医療用デバイス１の構成部品を組み合わせた状態を示す図である。
【図３】図３は、第２実施形態に係る医療用デバイス２の全体構成を説明するために示す図である。
【図４】図４は、第３実施形態に係る医療用デバイス３の全体構成を説明するために示す図である。
【図５】図５は、第３実施形態に係る医療用デバイス３を説明するために示す図である。図５（ａ）はシース部５０の先端５８が閉じた状態を示す図であり、図５（ｂ）はシース部５０の先端５８が開いた状態を示す図である。
【発明を実施するための形態】
【００１６】
以下、本発明の医療用デバイスについて、図に示す実施の形態に基づいて説明する。
【００１７】
［第１実施形態］
第１実施形態では、本発明の医療用デバイスの一例として、血管内に発生した血栓又は塞栓などの異物を除去するために用いる血管内異物除去デバイスを例示して説明する。
【００１８】
まず、第１実施形態に係る医療用デバイス１の構成について、図１及び図２を用いて説明する。
図１は、第１実施形態に係る医療用デバイス１の全体構成を説明するために示す図である。図２は、第１実施形態に係る医療用デバイス１の構成部品を組み合わせた状態を示す図である。
なお、図１及び図２において、発明の理解を容易にするため、医療用デバイス１を構成する各部材の長さや太さ、肉厚等を誇張して図示している。
【００１９】
この明細書において「遠位部」又は「先端部」とは、医療用デバイス１の使用者からみて遠いほうの端部側の領域を指し、「近位部」又は「基端部」とは、医療用デバイス１の使用者からみて近いほうの端部側（手元側）の領域を指す。
【００２０】
第１実施形態に係る医療用デバイス１は、血管内に発生した血栓又は塞栓などの異物を除去するために用いる血管内異物除去デバイスであって、図１に示すように、管状のシース部１０と、シース部１０内を移動可能に構成された異物捕捉用カテーテル２０と、異物捕捉用カテーテル２０内を移動可能に構成された異物除去用カテーテル３０とを備える。
【００２１】
シース部１０は、長尺であって管状のシースチューブ１２と、シースチューブ１２の近位部に設けられた液体充填ポート１４と、シースチューブ１２の近位部端に設けられた第１バルブ１６とを有する。
【００２２】
図示による説明は省略するが、シースチューブ１２の内部にはルーメンが設けられており、異物捕捉用カテーテル２０を通すことができるように構成されている。
【００２３】
シースチューブ１２は、可撓性を有する材料で形成されている。可撓性材料としては、例えば、合成樹脂（エラストマー）、合成樹脂に他の材料が混合された樹脂コンパウンド、合成樹脂が多層で構成された多層構造体、又は合成樹脂と金属線との複合体などを好ましく用いることができる。
【００２４】
液体充填ポート１４は、シースチューブ１２の内部ルーメンに連通しており、液体充填ポート１４を介してシースチューブ１２内に例えば生理食塩水等の液体を充填可能に構成されている。なお、図示による説明は省略するが、液体充填ポート１４の開口端部は、キャップ等の封止部材又はシリコンゴム等からなる弁体によって液密に閉鎖されている。
【００２５】
第１脱落防止機構としての第１バルブ１６は、例えば弁部材であって、シースチューブ１２から血液等が漏出するのを防止するとともに、シース部１０内に挿入した異物捕捉用カテーテル２０の望ましくない位置ずれ及び脱落を防止する機能を有する。
【００２６】
異物捕捉用カテーテル２０は、長尺であって管状のカテーテルチューブ２２と、カテーテルチューブ２２の近位部に設けられた液体充填ポート２４と、カテーテルチューブ２２の近位部端に設けられた第２バルブ２６と、カテーテルチューブ２２の遠位部端に設けられた捕捉部２８とを有する。異物捕捉用カテーテル２０は、例えば、血管内に発生した血栓又は塞栓などの異物を捕捉するための血栓捕捉用カテーテルである。
【００２７】
図示による説明は省略するが、カテーテルチューブ２２の内部にはルーメンが設けられており、異物除去用カテーテル３０を通すことができるように構成されている。カテーテルチューブ２２の外径は、シースチューブ１２の内径以下となるように設定されている。
【００２８】
カテーテルチューブ２２を構成する材料については、シースチューブ１２と同様であるため、詳細な説明は省略する。
【００２９】
液体充填ポート２４は、カテーテルチューブ２２の内部ルーメンに連通しており、液体充填ポート２４を介してカテーテルチューブ２２内に例えば生理食塩水等の液体を充填可能に構成されている。なお、図示による説明は省略するが、液体充填ポート２４の開口端部は、キャップ等の封止部材又はシリコンゴム等からなる弁体によって液密に閉鎖されている。
【００３０】
第２脱落防止機構としての第２バルブ２６は、例えば弁部材であって、カテーテルチューブ２２から血液等が漏出するのを防止するとともに、異物捕捉用カテーテル２０内に挿入した異物除去用カテーテル３０の望ましくない位置ずれ及び脱落を防止する機能を有する。
【００３１】
捕捉部２８は、血管内の異物を捕捉する部材である。捕捉部２８は、例えば、略円筒形状の網部２８ａと、網部２８ａを覆うように形成された膜部２８ｂから構成されている。網部２８ａは、例えばステンレス鋼、Ｎｉ−Ｔｉ合金、チタン合金など金属細線を格子状に編み込んだ構造からなり、半径方向（管軸に直交する方向）に拡張及び収縮可能に構成されている。膜部２８ｂを構成する材料としては、例えば、ＰＴＦＥ（ポリテトラフルオロエチレン）等のフッ素樹脂や、ポリウレタン樹脂などを好ましく用いることができる。これらの樹脂材料によって作成された膜部は、生体適合性及び耐久性が比較的高く、かつ、化学的にも安定している。
【００３２】
処置用カテーテルとしての異物除去用カテーテル３０は、長尺であって管状のカテーテルチューブ３２と、カテーテルチューブ３２の近位部に配置された操作部３３と、操作部３３の側面に設けられた液体充填ポート３４及び操作レバー３５と、カテーテルチューブ３２の近位部端に設けられたコネクタ３６と、カテーテルチューブ３２の遠位部に設けられた除去部３７と、カテーテルチューブ３２の先端に設けられた先端チップ３８とを有する。異物除去用カテーテル３０は、例えば、血管内に発生した血栓又は塞栓などの異物を除去するための血栓除去用カテーテルである。
【００３３】
図示による説明は省略するが、カテーテルチューブ３２の内部にはルーメンが設けられており、ガイドワイヤや薬液等を通すことができるように構成されている。なお、後述する操作部３３、除去部３７及び先端チップ３８についても、同様のルーメンが設けられており、ガイドワイヤや薬液等を通すことができるように構成されている。カテーテルチューブ３２の外径は、カテーテルチューブ２２（異物捕捉用カテーテル２０）の内径以下となるように設定されている。
【００３４】
操作部３３は、操作レバー３５を操作することによって後述する除去部３７の拡張／収縮を操作するための部材である。
【００３５】
液体充填ポート３４は、カテーテルチューブ３２の内部ルーメンに連通しており、液体充填ポート３４を介してカテーテルチューブ３２内に例えば生理食塩水等の液体を充填可能に構成されている。なお、図示による説明は省略するが、液体充填ポート３４の開口端部は、キャップ等の封止部材又はシリコンゴム等からなる弁体によって液密に閉鎖されている。
【００３６】
コネクタ３６には、図示しない止血弁が設けられており、例えばガイドワイヤ等を挿入可能に構成されている。
【００３７】
除去部３７は、例えば複数の金属線を管軸方向（異物除去用カテーテル３０の長手方向）に沿って配置した部材であり、図１に示すように、略球状に拡張し、かつ、カテーテルチューブ３２とほぼ同じ径の管状へと収縮可能に構成されている。
【００３８】
除去部３７を構成する金属線の材料としては、例えば、ステンレス鋼、Ｎｉ−Ｔｉ合金、チタン合金などに代表される公知の金属又は金属合金を好ましく用いることができる。また、金属線はともに超弾性（変形しても力を取り除くとすぐに元の形に戻る性質）を有する材料から構成されている。超弾性を有する材料として、例えばＮｉ−Ｔｉ合金を好適に用いることができる。なお、材料としてＸ線造影性を有する合金を用いることにより、Ｘ線不透過マーカーとしてもよい。この場合、除去部の位置を体外から確認することができる。
【００３９】
先端チップ３８は、異物除去用カテーテル３０を異物捕捉用カテーテル２０内に装填し、さらに当該異物捕捉用カテーテル２０をシース部１０内に装填した状態で、シース部１０の開口端１８を封止可能に構成されている。また、先端チップ３８は、シース部１０に対して異物除去用カテーテル３０を相対的に遠位側に移動させることにより、シース部１０の開口端１８の封止を解除可能に構成されている。
【００４０】
先端チップ３８の全体形状は、例えば略長球状（ラグビーボールに似た形状）である。先端チップ３８の最大径は、シースチューブ１２の開口端１８を封止した際にシースチューブ１２との段差をなくすよう、シースチューブ１２の径とほぼ同じとなるように設定されている。
【００４１】
先端チップ３８を構成する材料としては、例えば、ポリアミド系樹脂、ポリウレタン系樹脂又はポリ塩化ビニル系樹脂等から構成された合成樹脂（又はそのエラストマー）などの、適度な硬度及び柔軟性を有する種々の材料を好ましく用いることができる。
【００４２】
次に、医療用デバイス１の使用方法について説明する。
【００４３】
使用前の医療用デバイス１は、図２に示すように、異物除去用カテーテル３０が異物捕捉用カテーテル２０内に装填され、さらに当該異物捕捉用カテーテル２０がシース部１０内に装填された状態である。
【００４４】
血管内にガイドワイヤを通した状態で、ガイドワイヤに沿わせるように、図２に示す医療用デバイス１を血管内に挿入し、標的部位（異物が存在する部位）の手前まで医療用デバイス１を送達する。
【００４５】
次に、シース部１０の位置を固定した状態で、異物捕捉用カテーテル２０及び異物除去用カテーテル３０を前方に移動させることにより、異物捕捉用カテーテル２０及び異物除去用カテーテル３０をシース部１０から送り出す。なお、異物捕捉用カテーテル２０及び異物除去用カテーテル３０の位置を固定した状態で、シース部１０を後退させてもよい。
【００４６】
異物捕捉用カテーテル２０の捕捉部２８を拡張させた状態で、異物除去用カテーテル３０の除去部３７に血管内の異物を絡め取る。除去部３７に異物を絡め取るために、例えば、標的部位において除去部３７を管軸中心に回転させてもよいし、標的部位において除去部３７を前進／後退させてもよいし、標的部位において除去部３７を拡張／収縮してもよい。
【００４７】
そして、異物を絡めたまま除去部３７を収縮させて、除去部３７及び捕捉部２８をシース部１０内に引き込む。その後、シース部１０内から異物捕捉用カテーテル２０及び異物除去用カテーテル３０を抜き取る作業を行うことにより、経皮的に異物を体外に取り出すことができる。なお、シース部１０内に異物捕捉用カテーテル２０を挿入したまま、異物捕捉用カテーテル２０から異物除去用カテーテル３０のみを抜き取ってもよい。
【００４８】
以上のように構成された第１実施形態に係る医療用デバイス１によれば、シース部１０内に異物捕捉用カテーテル２０と異物除去用カテーテル３０を装填した状態で医療用デバイス１を血管内に挿入可能に構成されているため、シースイントロデューサ又はダイレータを使用しなくても済む。つまり、ダイレータの抜き取りに要していた手間を省くことができるため、使用者の作業負担を軽減することができる。また、シース部１０内に異物捕捉用カテーテル２０と異物除去用カテーテル３０を装填した状態で医療用デバイス１を血管内に挿入することから、挿入時におけるシース部の潰れやキンクの発生を抑制することもできる。
【００４９】
ところで、シースイントロデューサを用いて従来の異物除去用カテーテルを経皮的に血管内に挿入する場合は、シースイントロデューサに異物除去用カテーテルを挿入するために、インサーターなどと呼ばれる付属部品を用いる必要があった。
これに対し、第１実施形態に係る医療用デバイス１によれば、シース部１０内に異物捕捉用カテーテル２０及び異物除去用カテーテル３０が既に装填された状態で使用するため、インサーターが不要となる。その結果、製品全体としての部品点数の削減やコスト低廉化に寄与することができる。
【００５０】
第１実施形態に係る医療用デバイス１においては、上記の構成からなる先端チップ３８を備えているため、血管内に医療用デバイス１を挿入する際に、シースチューブ１２の開口端１８を先端チップ３８によって封止することができ、シースチューブ１２内に血液が侵入するのを防ぐことができる。また、先端チップ３８があることによって、ガイドワイヤに沿って医療用デバイス１を挿入する際の挿入抵抗を低減することができる。また、シース部１０に対して異物除去用カテーテル３０を相対的に遠位側に移動させれば、先端チップ３８による開口端１８の封止を解除可能に構成されていることから、使用者にとって取り扱いやすい医療用デバイスといえる。
【００５１】
第１実施形態に係る医療用デバイス１においては、シース部１０には第１バルブ１６が設けられており、異物捕捉用カテーテル２０には第２バルブ２６が設けられているため、異物捕捉用カテーテル２０又は異物除去用カテーテル３０の望ましくない脱落を防止することができる。また、例えば、血管内で異物除去用カテーテル３０を前進又は後退させる際に異物捕捉用カテーテル２０の位置がずれてしまう等、各カテーテルにおける望ましくない位置ずれを、第１バルブ１６及び第２バルブ２６によって抑制することができる。
【００５２】
［第２実施形態］
第２実施形態では、本発明の医療用デバイスの一例として、血管内壁からの止血に用いる血管内止血用デバイスを例示して説明する。
【００５３】
図３は、第２実施形態に係る医療用デバイス２の全体構成を説明するために示す図である。なお、図３において、図１に示す部材と同一の部材については、同一の符号を付している。
【００５４】
第２実施形態に係る医療用デバイス２は、血管内壁からの止血に用いる血管内止血用デバイスであって、図３に示すように、管状のシース部１０と、シース部１０内を移動可能に構成された異物捕捉用カテーテル２０と、異物捕捉用カテーテル２０内を移動可能に構成された血管内止血用カテーテル４０とを備える。
【００５５】
図３に示すシース部１０及び異物捕捉用カテーテル２０については、第１実施形態で説明したものと同様であるため、説明を省略する。
【００５６】
処置用カテーテルとしての血管内止血用カテーテル４０は、長尺であって管状のカテーテルチューブ４２と、カテーテルチューブ４２の近位部に配置された操作部４３と、操作部４３の側面に設けられた液体充填ポート４４及び操作レバー４５と、カテーテルチューブ４２の近位部端に設けられたコネクタ４６と、カテーテルチューブ４２の遠位部に設けられた止血部４７と、カテーテルチューブ４２の先端に設けられた先端チップ４８とを有する。血管内止血用カテーテル４０は、例えば、血管内壁からの止血に用いるカテーテルである。
【００５７】
図３に示すカテーテルチューブ４２、操作部４３、液体充填ポート４４、操作レバー４５、コネクタ４６及び先端チップ４８については、第１実施形態で説明したものと同様であるため、説明を省略する。
【００５８】
止血部４７は、例えば複数の金属線を管軸方向（血管内止血用カテーテル４０の長手方向）に沿って配置され、略球状に拡張し、かつ、カテーテルチューブ４２とほぼ同じ径の管状へと収縮可能な弾性変形部４７ａと、弾性変形部４７ａの中間部分（弾性変形部４７ａを拡張させたときに最大径となる部分を含む）に配置された止血膜４７ｂとを有する。
【００５９】
弾性変形部４７ａを構成する金属線の材料としては、例えば、ステンレス鋼、Ｎｉ−Ｔｉ合金、チタン合金などに代表される公知の金属又は金属合金を好ましく用いることができる。また、金属線はともに超弾性（変形しても力を取り除くとすぐに元の形に戻る性質）を有する材料から構成されている。超弾性を有する材料として、例えばＮｉ−Ｔｉ合金を好適に用いることができる。なお、材料としてＸ線造影性を有する合金を用いることにより、Ｘ線不透過マーカーとしてもよい。この場合、除去部の位置を体外から確認することができる。
【００６０】
止血膜４７ｂは、弾性変形部４７ａの全周に張り渡された膜状部材であり、弾性変形部４７ａの拡張及び収縮に追従可能な可撓性の材料で構成されている。
【００６１】
止血膜４７ｂを構成する材料としては、例えば、ポリウレタン、ポリエチレン、ポリエステル、ポリプロピレン、ポリアミド、ＰＴＦＥ（ポリテトラフルオロエチレン）、ポリフッ化ビニリデン等の材料を好適に用いることができる。
【００６２】
このように、第２実施形態に係る医療用デバイス２は、処置用カテーテルの種類が、第１実施形態に係る医療用デバイス１とは異なっているが、第１実施形態に係る医療用デバイス１の場合と同様に、シース部１０内に異物捕捉用カテーテル２０と血管内止血用カテーテル４０を装填した状態で医療用デバイス２を血管内に挿入可能に構成されているため、シースイントロデューサ又はダイレータを使用しなくても済む。つまり、ダイレータの抜き取りに要していた手間を省くことができるため、使用者の作業負担を軽減することができる。また、シース部１０内に異物捕捉用カテーテル２０と血管内止血用カテーテル４０を装填した状態で医療用デバイス２を血管内に挿入することから、挿入時におけるシース部の潰れやキンクの発生を抑制することもできる。
【００６３】
第２実施形態に係る医療用デバイス２は、処置用カテーテルの種類が異なる点以外の点では、第１実施形態に係る医療用デバイス１の場合と同様の構成を有しているため、第１実施形態に係る医療用デバイス１が有する効果のうち該当する効果をそのまま有する。
【００６４】
［第３実施形態］
図４は、第３実施形態に係る医療用デバイス３の全体構成を説明するために示す図である。図５は、第３実施形態に係る医療用デバイス３を説明するために示す図である。図５（ａ）はシース部５０の先端５８が閉じた状態を示す図であり、図５（ｂ）はシース部５０の先端５８が開いた状態を示す図である。なお、図４において、図１に示す部材と同一の部材については、同一の符号を付している。
【００６５】
第３実施形態に係る医療用デバイス３は、基本的には第１実施形態に係る医療用デバイス１と同様の構成を有するが、シース部及び異物除去用カテーテルの構成が、第１実施形態に係る医療用デバイス１とは異なる。
【００６６】
すなわち、第３実施形態におけるシース部５０は、図５（ａ）及び図５（ｂ）に示すように、シースチューブ５２の先端５８が変形可能に構成されている。具体的に説明すると、シースチューブ５２の先端５８には、例えば所定の破断線が形成されている。使用前の医療用デバイス３は、図５（ａ）に示す状態であり、異物除去用カテーテル６０を異物捕捉用カテーテル２０内に装填し、さらに当該異物捕捉用カテーテル２０をシース部５０内に装填した状態で、シース部５０の先端５８は封止されている。この状態で血管内に挿入した後、シース部５０に対して異物捕捉用カテーテル２０及び異物除去用カテーテル６０を前進（図５（ｂ）の黒矢印方向に移動）させることにより、上述の破断線に沿って先端５８が破断され、シース部５０の開口端の封止が解除される（すなわち開口する）こととなる。
【００６７】
また、図４に示すように、第３実施形態における異物除去用カテーテル６０の先端には、第１実施形態で説明した先端チップ３８が設けられていない。
【００６８】
第３実施形態におけるシース部５０及び異物除去用カテーテル６０について、その他の部材については、第１実施形態における対応する部材と同様の構成を有するため、説明を省略する。また、図４に示す異物捕捉用カテーテル２０についても、第１実施形態で説明したものと同様であるため、説明を省略する。
【００６９】
このように、第３実施形態に係る医療用デバイス３は、シース部及び異物除去用カテーテルの構成が、第１実施形態に係る医療用デバイス１とは異なっているが、第１実施形態に係る医療用デバイス１の場合と同様に、シース部５０内に異物捕捉用カテーテル２０と異物除去用カテーテル６０を装填した状態で医療用デバイス３を血管内に挿入可能に構成されているため、シースイントロデューサ又はダイレータを使用しなくても済む。つまり、ダイレータの抜き取りに要していた手間を省くことができるため、使用者の作業負担を軽減することができる。また、シース部５０内に異物捕捉用カテーテル２０と異物除去用カテーテル６０を装填した状態で医療用デバイス３を血管内に挿入することから、挿入時におけるシース部の潰れやキンクの発生を抑制することもできる。
【００７０】
第３実施形態に係る医療用デバイス３は、シース部及び異物除去用カテーテルの構成が異なる点以外の点では、第１実施形態に係る医療用デバイス１の場合と同様の構成を有しているため、第１実施形態に係る医療用デバイス１が有する効果のうち該当する効果をそのまま有する。
【００７１】
なお、本発明は上記実施形態に例示したものに限定されるものではなく、本発明の要旨を逸脱しない範囲において種々の態様において実施することが可能であり、例えば次のような変形も可能である。
【００７２】
（１）上記実施形態においては、シース部に第１脱落防止機構（第１バルブ）が設けられている場合を例示して説明したが、本発明はこれに限定されるものではない。例えば、シース部ではなく異物捕捉用カテーテル側に第１脱落防止機構が設けられていてもよいし、シース部と異物捕捉用カテーテルの両方に第１脱落防止機構の構成部品が分散して設けられていてもよい。
【００７３】
（２）上記実施形態においては、異物捕捉用カテーテルに第２脱落防止機構（第２バルブ）が設けられている場合を例示して説明したが、本発明はこれに限定されるものではない。例えば、異物捕捉用カテーテルではなく処置用カテーテル（異物除去用カテーテル又は血管内止血用カテーテル）側に第２脱落防止機構が設けられていてもよいし、異物捕捉用カテーテルと処置用カテーテルの両方に第２脱落防止機構の構成部品が分散して設けられていてもよい。
【００７４】
（３）上記実施形態においては、シース部内に異物捕捉用カテーテルと異物除去用カテーテル（又は血管内止血用カテーテル）とを装填したときに、図２に示すように、異物除去用カテーテルの除去部（又は血管内止血用カテーテルの止血部）に対して、異物捕捉用カテーテルの捕捉部が遠位側に位置するように構成されている場合を例示して説明したが、本発明はこれに限定されるものではない。例えば、異物除去用カテーテルの除去部（又は血管内止血用カテーテルの止血部）に対して、異物捕捉用カテーテルの捕捉部が近位側に位置するように構成されていてもよいし、異物除去用カテーテルの除去部（又は血管内止血用カテーテルの止血部）と異物捕捉用カテーテルの捕捉部がほぼ同じ位置となる（例えば、収縮状態の捕捉部の中に、収縮状態の除去部が配置される）ように構成されていてもよい。
【００７５】
（４）上記実施形態においては、拡張時における除去部及び弾性変形部の各形状が、長球状である場合を例示して説明したが、本発明はこれに限定されるものではない。例えば、球状、扁球状又は鶏卵状であってもよいし、除去部又は弾性変形部の各端部が長球状であって、リトリバーの中間部が円筒状からなる形状であってもよい。
【００７６】
（５）上記実施形態においては、除去部及び弾性変形部が金属材料で構成されている場合を例示して説明したが、本発明はこれに限定されるものではなく、例えば、生体適合性を有する樹脂などを材料としてもよい。
【００７７】
（６）上記実施形態においては、捕捉部における網部全体を覆うように、膜部が形成されている場合を例示して説明したが、本発明はこれに限定されるものではない。例えば、網部におけるテーパー形状となっている部分（網部の近位部側）を膜部で覆わずに、露出させる構成としてもよい。また、網部の材料として、金属材料に限らず、例えば、生体適合性を有する樹脂などを材料としてもよい。
【００７８】
（７）上記実施形態においては、処置用カテーテルが異物除去用カテーテル又は血管内止血用カテーテルである場合を例示して説明したが、本発明はこれに限定されるものではない。例えば、血管内に発生した異物を溶解するための異物溶解用カテーテル等、異物除去用カテーテル及び血管内止血用カテーテルとは異なるカテーテルを処置用カテーテルとして用いた場合であっても、本発明を適用可能である。
【００７９】
（８）上記実施形態においては、使用対象となる管状組織が、血管である場合を例示して説明したが、本発明はこれに限定されるものではない。例えば、消化管や胆管等、他の管状組織の内部に発生した異物を除去するための医療用デバイスにも、本発明を適用可能である。
【符号の説明】
【００８０】
１，２，３・・・医療用デバイス
１０，５０・・・シース部
１２，５２・・・シースチューブ
１４，２４，３４，４４，５４，６４・・・液体充填ポート
１６，５６・・・第１バルブ（第１脱落防止機構）
１８・・・開口端
２０・・・異物捕捉用カテーテル
２２，３２，４２，６２・・・カテーテルチューブ
２６・・・第２バルブ（第２脱落防止機構）
２８・・・捕捉部
２８ａ・・・網部
２８ｂ・・・膜部
３０，６０・・・異物除去用カテーテル（処置用カテーテル）
３３，４３，６３・・・操作部
３５，４５，６５・・・操作レバー
３６，４６，６６・・・コネクタ
３７，６７・・・除去部
３８，４８・・・先端チップ
４０・・・血管内止血用カテーテル（処置用カテーテル）
４７・・・止血部
４７ａ・・・弾性変形部
４７ｂ・・・止血膜
５８・・・（シースチューブの）先端
【図１】
2019000233.tif 000003
【図２】
2019000233.tif 000004
【図３】
2019000233.tif 000005
【図４】
2019000233.tif 000006
【図５】
2019000233.tif 000007